(57)【特許請求の範囲】
【請求項１】
ハンドルと、牽引ロープと、外部スリーブ（５）と、鉗子台（４）と、プッシュプルロッド（３）と、２つの接続部材（２）と、２つのニッパ（１）とを含み、
前記外部スリーブ（５）が鉗子台（４）に接続され、
外部スリーブ（５）と鉗子台（４）の内部に穿設された前記牽引ロープの一端がハンドルに接続され、他端がプッシュプルロッド（３）に接続され、
２つのニッパ（１）の中間部分がヒンジ接続軸を介してヒンジ接続され、かつ当該ヒンジ接続軸が鉗子台（４）に取り付けられ、
前記ニッパ（１）の下部が接続部材（２）の一端にヒンジ接続され、接続部材（２）の他端がプッシュプルロッド（３）にヒンジ接続される医療用鉗子において、
上部にヒンジ接続ヘッダ（３１）が設けられたプッシュプルロッド（３）には、交差して設けられた２つの接続部材（２）にそれぞれヒンジ接続するための２つのヒンジ接続中心を有し、
前記２つのヒンジ接続中心は、ヒンジ接続ヘッダ（３１）の左右両端にそれぞれ設けられ、
当該ヒンジ接続ヘッダ（３１）は、当該２つのヒンジ接続中心を介して２つの接続部材（２）にそれぞれヒンジ接続されることを特徴とする医療用鉗子。
【請求項２】
請求項１に記載の医療用鉗子において、
プッシュプルロッド（３）の２つのヒンジ接続中心を接続する線分ｃの長さは、０．２ｍｍ〜３ｍｍであることを特徴とする医療用鉗子。
【請求項３】
請求項２に記載の医療用鉗子において、
同一のニッパ（１）の２つのヒンジ接続中心を接続する線分をａ、同一の接続部材（２）の２つのヒンジ接続中心を接続する線分をｂ、互いにヒンジ接続された１つのニッパ（１）と１つの接続部材（２）でａとｂのなす角度をα、互いにヒンジ接続された１つの接続部材（２）とプッシュプルロッド（３）でｂとｃのなす角度をβとすると、２つのニッパ（１）が咬合した際に、βは、４０°〜８０°であり、αは、９０°〜１８０°であることを特徴とする医療用鉗子。
【請求項４】
請求項３に記載の医療用鉗子において、
ａの長さは、０．５ｍｍ〜２０ｍｍであり、ｂの長さは、０．５ｍｍ〜２０ｍｍであることを特徴とする医療用鉗子。
【請求項５】
請求項１に記載の医療用鉗子において、
前記鉗子台（４）の前後両側から２つの支持片（４１）が上へ延伸して形成され、前記支持片（４１）には、ヒンジ接続軸を設けるための第１ヒンジ接続孔（４２）が空けられていることを特徴とする医療用鉗子。
【請求項６】
請求項５に記載の医療用鉗子において、
前記２つのヒンジ接続中心は、ヒンジ接続ヘッダ（３１）の左右両端にそれぞれ設けられた２つの第２ヒンジ接続孔（３２）であり、
接続部材（２）は、第２ヒンジ接続孔（３２）を介してプッシュプルロッド（３）にヒンジ接続されることを特徴とする医療用鉗子。
【請求項７】
請求項１に記載の医療用鉗子において、
前記ニッパ（１）は、開口部（１１）と短手ヒンジ接続片（１２）と長手ヒンジ接続片（１３）とを含む鉗子カップであり、
前記短手ヒンジ接続片（１２）は、開口部（１１）の下部の前側から下へ延伸して形成され、
前記長手ヒンジ接続片（１３）は、開口部（１１）の下部の後ろ側から下へ延伸して形成され、
かつ短手ヒンジ接続片（１２）と長手ヒンジ接続片（１３）の間に隙間が設けられていることを特徴とする医療用鉗子。
【請求項８】
請求項１に記載の医療用鉗子において、
前記接続部材（２）の側面の両端には、それぞれヒンジ接続柱（２１）が設けられ、
接続部材（２）の両端は、円弧コーナーを呈し、かつ接続部材（２）の両端の円弧コーナーの半径が異なり、
２つの接続部材（２）は、プッシュプルロッド（３）の前後両側にそれぞれ設けられていることを特徴とする医療用鉗子。
【請求項９】
請求項１に記載の医療用鉗子において、
前記接続部材（２）の成型工程は、機械加工、エッチング、プレス加工または粉末冶金であり、
前記プッシュプルロッド（３）の成型工程は、機械加工、プレス加工または粉末冶金であり、
前記鉗子台（４）の成型工程は、機械加工、プレス加工または粉末冶金であることを特徴とする医療用鉗子。
【発明の詳細な説明】
【技術分野】
【０００１】
本発明は、医療器械に関し、特に内視鏡の使用時に用いられる医療用鉗子に関する。
【背景技術】
【０００２】
内視鏡およびその他の関連技術の急速な発展につれて、がん疾病が頻発する今では、内視鏡の使用時に生検鉗子を利用して生体組織をサンプリングし、スライシングおよび病理的分析を行うことは、とりわけ重要なことになる。
【０００３】
現在、内視鏡の使用における生体組織サンプリング分野に存在する生検鉗子は、４棒リンク構造やワイヤフック構造、またはその他の類似な構造のいずれも往々に咬合力が不十分であり、組織を噛み切って鉗子カップを閉じる際に、引き裂かれて出血し、後に止血治療が必要となるため、手術時間および治療費用の増大とともに、患者に苦痛を与える。
【０００４】
従来の構造では、ハンドルでフィードし、鉗子ヘッダアセンブリのプッシュプルロッドまでフィード力を牽引ロープによって伝達し、さらに鉗子カップを開閉させる。従来の鉗子ヘッダアセンブリの主な構造は、鉗子カップと、カップ台と、接続片と、プッシュプルロッドである。プッシュプルロッドは、単一孔であり、接続片は、左右から１枚ずつプッシュプルロッドの孔に接続される。
【０００５】
従来の構造では、鉗子カップの開閉中に、プッシュプルロッドが１つのヒンジ接続中心しかない単一孔のプッシュプルロッドであるため、鉗子カップの咬合時に４棒リンク機構の「デッドポイント」位置に近く、伝動角度が小さいため、順調にフィードすることに影響を与えると同時に、ハンドルから鉗子カップに伝達される咬合力を大幅に減少させ、生検鉗子の性能に直接的に影響を与える。
【発明の概要】
【発明が解決しようとする課題】
【０００６】
上記の技術問題を解決するために、本発明の目的は、咬合力が強く、より自由に使用できる医療用鉗子を提供することにある。
【課題を解決するための手段】
【０００７】
上記目的を実現するために、本発明は、以下の技術手段を採用する。
【０００８】
１種の医療用鉗子は、ハンドルと、牽引ロープと、外部スリーブと、鉗子台と、プッシュプルロッドと、２つの接続部材と、２つのニッパとを含む。前記外部スリーブが鉗子台に接続される。外部スリーブと鉗子台の内部に穿設された前記牽引ロープの一端がハンドルに接続され、他端がプッシュプルロッドに接続される。２つのニッパの中間部分がヒンジ接続軸を介してヒンジ接続され、かつ当該ヒンジ接続軸が鉗子台に取り付けられる。前記ニッパの下部が接続部材の一端にヒンジ接続され、接続部材の他端がプッシュプルロッドにヒンジ接続される。当該医療用鉗子において、プッシュプルロッドには、交差して設けられた２つの接続部材にそれぞれヒンジ接続するための２つのヒンジ接続中心を有することを特徴とする。
【０００９】
プッシュプルロッドの２つのヒンジ接続中心の接続線ｃの長さは、０．２ｍｍ〜３ｍｍであることが好ましい。このように、鉗子に最大の咬合力を有することを保証し、自由にフィードできることを保証する。
【００１０】
同一のニッパの２つのヒンジ接続中心への接続線をａ、同一の接続部材の２つのヒンジ接続中心の接続線をｂ、互いにヒンジ接続された一方のニッパと１つの接続部材とでａとｂとのなす角度をα、互いにヒンジ接続された１つの接続部材とプッシュプルロッドとでｂとｃとのなす角度をβとすると、２つのニッパが咬合した際に、βは、４０°〜８０°であり、αは、９０°〜１８０°であることが好ましい。このように、鉗子に最大の咬合力を有することを保証し、自由にフィードできることを保証する。
【００１１】
ａの長さは、０．５ｍｍ〜２０ｍｍであり、ｂの長さは、０．５ｍｍ〜２０ｍｍであることが好ましい。２つのニッパが開くと、αは、１°〜１８０°であり、βは、１°〜９０°である。２つのニッパのａの長さは、同じであってもよく異なっていてもよく、２つの接続部材のｂの長さは、同じであってもよく異なっていてもよく、ｃは、プッシュプルロッドの移動方向に対し垂直であってもよく一定の角度を為してもよい。鉗子が真ん中で咬合することを必要とすると、２つのニッパのａの長さは、同じであり、２つの接続部材のｂの長さも同じであり、ｃは、プッシュプルロッドの移動方向に対し垂直である。
【００１２】
前記プッシュプルロッドの上部に２つの第２ヒンジ接続孔が離間して設けられ、接続部材が第２ヒンジ接続孔を介してプッシュプルロッドにヒンジ接続することが好ましい。
【００１３】
前記プッシュプルロッドの上部にヒンジ接続ヘッダが設けられ、２つの第２ヒンジ接続孔がヒンジ接続ヘッダの左右両端にそれぞれ設けられることが好ましい。
【００１４】
前記ニッパは、開口部と短手ヒンジ接続片と長手ヒンジ接続片とを含む鉗子カップであり、前記短手ヒンジ接続片は、開口部の下部の前側から下へ延伸して形成され、前記長手ヒンジ接続片は、開口部の下部の後ろ側から下へ延伸して形成され、かつ短手ヒンジ接続片と長手ヒンジ接続片の間に隙間が設けられていることが好ましい。
【００１５】
前記接続部材の側面の両端には、それぞれヒンジ接続柱が設けられ、接続部材の両端は、円弧コーナーを呈し、かつ接続部材の両端の円弧コーナーの半径が異なり、２つの接続部材は、プッシュプルロッドの前後両側にそれぞれ設けられていることが好ましい。
【００１６】
前記鉗子台の前後両側から２つの支持片が上へ延伸して形成され、前記支持片には、軸を設けるための第１ヒンジ接続孔が開けられていることが好ましい。
【００１７】
前記接続部材の成型工程は、機械加工、エッチング、プレス加工または粉末冶金であり、前記プッシュプルロッドの成型工程は、機械加工、プレス加工または粉末冶金であり、前記鉗子台の成型工程は、機械加工、プレス加工または粉末冶金であることが好ましい。
【発明の効果】
【００１８】
本発明のプッシュプルロッドにデュアルヒンジ接続中心構造が用いられる。このように、ニッパと接続部材とプッシュプルロッドによって、交互になる５棒リンク機構を構成するため、従来技術の４棒リンク機構では咬合時に「デッドポイント」に近いという問題が避けられ、伝動角度を大きくし、鉗子を自由にフィードすることを保証すると同時に鉗子の咬合力を強化し、生検鉗子で組織を噛み切る効率と正確性を向上させる。
【図面の簡単な説明】
【００１９】
【図１】実施例１における鉗子の閉状態の構造図である。
【図２】実施例１における鉗子の開状態の構造図である。
【図３】実施例１における鉗子台を備えない鉗子の閉状態の構造図である。
【図４】実施例１における鉗子台を備えない鉗子の閉状態の構造図である。
【図５】実施例１における鉗子カップの構造図である。
【図６】実施例１における接続部材の構造図である。
【図７】実施例１におけるプッシュプルロッドの構造図である。
【図８】実施例１における鉗子台の構造図である。
【発明を実施するための形態】
【００２０】
以下、本発明の実施例を詳細に記載する。記載されている実施例の例は、図面に示されるが、終始して、同じまたは類似な記号は、同じまたは類似な構成、または、同じまたは類似な機能を有する構成を示す。以下、図面を参照して記載される実施例は、例示的なものであり、本発明を解釈するために用いられるが、本発明に対する限定と理解してはならない。
【００２１】
図１〜図８に示す１種の医療用鉗子は、ハンドルと、牽引ロープと、外部スリーブ５と、鉗子台４と、プッシュプルロッド３と、接続部材２と、ニッパ１とを含む。前記外部スリーブ５が鉗子台４に接続される。外部スリーブ５と鉗子台４の内部に穿設された前記牽引ロープの一端がハンドルに接続され、他端がプッシュプルロッド３に接続される。２つのニッパ１の中間部分がヒンジ接続軸を介してヒンジ接続され、かつ当該ヒンジ接続軸が鉗子台４に取り付けられる。前記ニッパ１の下部が接続部材２の一端にヒンジ接続され、接続部材２の他端がプッシュプルロッド３にヒンジ接続される。プッシュプルロッド３には、交差して設けられた２つの接続部材２にそれぞれヒンジ接続するための２つのヒンジ接続中心を有する。
【００２２】
プッシュプルロッド３の２つのヒンジ接続中心の接続線ｃの長さは、０．２ｍｍ〜３ｍｍであることが好ましい。このように、鉗子に最大の咬合力を有することを保証し、自由にフィードできることを保証する。本実施例において、同一のニッパ１の２つのヒンジ接続中心の接続線をａ、同一の接続部材２の２つのヒンジ接続中心の接続線をｂ、プッシュプルロッド３の２つのヒンジ接続中心の接続線をｃ、互いにヒンジ接続された１つのニッパ１と１つの接続部材２でａとｂのなす角度をα、互いにヒンジ接続された１つの接続部材２とプッシュプルロッド３とでｂとｃとのなす角度をβとする。図３に示すように、２つのニッパ１が咬合した際に、βは、４０°〜８０°であり、αは、９０°〜１８０°である。このように、さらに、鉗子に最大の咬合力を有することを保証し、自由にフィードできることを保証する。本実施例において、ａの長さは、０．５ｍｍ〜２０ｍｍであり、ｂの長さは、０．５ｍｍ〜２０ｍｍである。２つのニッパ１が開くと、αは、１°〜１８０°であり、βは、１°〜９０°である。２つのニッパのａの長さは、同じであってもよく異なってもよく、２つの接続部材のｂの長さは、同じであってもよく異なってもよく、ｃは、プッシュプルロッドの移動方向に対し垂直であってもよく一定の角度を為してもよい。本実施例において、鉗子が真ん中で咬合することを必要とすると、２つのニッパのａの長さは、同じであり、２つの接続部材のｂの長さも同じであり、ｃは、プッシュプルロッドの移動方向に対し垂直である。
【００２３】
本実施例において、前記プッシュプルロッド３の上部に２つの第２ヒンジ接続孔３２が離間して設けられ、２つの接続部材２の他端は、２つの第２ヒンジ接続孔３２にそれぞれヒンジ接続され、かつ２つの接続部材は、交差して設けられている。図７に示すように、前記プッシュプルロッド３の上部にヒンジ接続ヘッダ３１が設けられ、２つの第２ヒンジ接続孔３２がヒンジ接続ヘッダ３１の左右両端にそれぞれ設けられる。ほかの実施形態において、接続部材とプッシュプルロッドのヒンジ接続軸は、プッシュプルロッドに固定接続または一体成型されてもよい。
【００２４】
本発明の構造では、ハンドルで前後にフィードすることによって、牽引ロープでプッシュプルロッドを運動させる。接続部材は、プッシュプルロッドとニッパを接続する機能を奏し、プッシュプルロッドのフィードをニッパの開閉に伝達する。図３、図４に示すように、本発明の左側の接続部材２の他端は、右側の第２ヒンジ接続孔３２にヒンジ接続され、右側の接続部材２の他端は、左側の第２ヒンジ接続孔３２にヒンジ接続される。単一ヒンジ接続中心構造に比較し、２つの接続部材のなす最小角度が大きくなるため、プッシュプルロッドによってニッパに伝達される開閉の分力も大きくなり、さらにニッパの開閉時の力を大きくし、より順調にフィードし、より自由に使用できる。
【００２５】
プッシュプルロッド３の両端は、それぞれ接続部材と牽引ロープに接続される。デュアルヒンジ接続中心構造を採用し、ピッチおよび孔の径が制限されず、構造全体のサイズに応じて最適に選択可能である。デュアルヒンジ接続中心構造の設計は、単一ヒンジ接続中心構造に比較し、その利点として、より合理的にレイアウトでき、伝動部品の特性を十分に発揮させ、「デッドポイント」を避け、伝動角度を大きくし、ハンドルのフィード自由度を大きくすると同時に、ハンドルのプッシュプル力を最大限にニッパの開閉力に変換することにある。プッシュプルロッドの成型工程は、機械加工、プレス加工または粉末冶金であるが、当該３種類の成型工程に限られない。
【００２６】
本実施例は、生検鉗子であり、前記鉗子台４がカップ台であり、外部スリーブ５が弾力性ホースであり、接続部材２が接続片であり、ニッパ１が鉗子カップである。ほかの実施形態において、把持鉗子などほかの医療器械であってもよい。図５に示すように、当該鉗子カップは、開口部１１と短手ヒンジ接続片１２と長手ヒンジ接続片１３とを含む。前記短手ヒンジ接続片１２は、開口部１１の下部の前側から下へ延伸して形成され、前記長手ヒンジ接続片１３は、開口部１１の下部の後ろ側から下へ延伸して形成され、かつ短手ヒンジ接続片１２と長手ヒンジ接続片１３の間に隙間が設けられている。
【００２７】
本実施例の鉗子カップは、カップ開口の開閉によって組織を噛み切るが、カップ開口の深さによって、噛み切られる組織の容量が決められる。鉗子カップの構造は、図５に示すようにフラットな開口の構造を用いてもよく、歯付きの構造を含んでもよいが、当該２種類の構造に限られない。鉗子カップの成型工程は、プレス成型、粉末冶金、機械加工が用いられるが、当該３種類の成型工程に限られない。
【００２８】
図６に示すように、前記接続部材２の側面の両端には、それぞれヒンジ接続柱２１が設けられ、接続部材２の両端は、円弧コーナーを呈し、かつ接続部材２の両端の円弧コーナーの半径が異なり、２つの接続部材２は、プッシュプルロッド３の前後両側にそれぞれ設けられている。接続部材２は、プッシュプルロッドと鉗子カップを接続し、運動伝達の機能を奏する。接続部材の成型工程は、機械加工、エッチング、プレス加工および粉末冶金が用いられるが、当該４種類の工程に限られない。
【００２９】
図８に示すように、前記鉗子台４の前後両側から２つの支持片４１が上へ延伸して形成され、前記支持片４１には、軸を設けるための第１ヒンジ接続孔４２が空けられている。鉗子台４の下端が外部スリーブに接続することによって、鉗子カップアセンブリ全体の開閉を固定して支持する機能を奏し、斜めになったり崩れたりして、組織を噛み切る力の大きさおよび正確さに影響を与えることを防ぐ。鉗子台の成型工程は、機械加工、プレス加工および粉末冶金を含むが、それらに限られない。
【００３０】
本実施例において、外部スリーブ５は、弾力性ホース（プラスチック被覆か、非プラスチック被覆）である。外部スリーブが鉗子台に接続することによって、鉗子カップが斜めにならないように支持して固定すると同時に、鉗子カップが組織を噛み切る際に大きな咬合力を必要とするため、外部スリーブと鉗子台によってそのために強い支持力を与え、組織を噛み切る際に変形が生じてしまい、組織を噛み切る効果および効率に影響を与えることを避ける。
【００３１】
本発明は、従来の生検鉗子が組織を噛み切る際に咬合力が不十分であるため、組織を噛み切ることに失敗しまたは組織が引き裂かれて出血してしまうなどの問題に対し、２孔プッシュプルロッドの生検鉗子を設計し、プッシュプルロッドのデュアルヒンジ接続中心構造の特徴によって、従来技術のプッシュプルロッドのプル力伝達過程で「デッドポイント」に近い問題を効果的に避け、順調にフィードして組織を噛み切る際の咬合力を強化し、生検組織手術を正確かつ快速に遂行でき、手術の安全性および効率を大幅に向上させる。
【００３２】
本発明の動作原理及び方法に基づき、２孔プッシュプルロッドの構造を保護するだけではなく、各関連部材の成型工程も本特許の保護範疇内にあり、かつ本発明の医療用鉗子は、生検鉗子と把持鉗子を含むが、それらに限られない。
【００３３】
ほかの実施形態において、本発明は、多くの変形もありうる。たとえば、上記実施例において、２孔プッシュプルロッドの２つのヒンジ接続孔を１つの孔に貫通させる。
【００３４】
なお、以上の実施例は、本発明の代表的な例に過ぎない。本発明の実質に基づき、以上の実施例に対し為したあらゆる簡単な修正、均等変化および修飾は、いずれも本発明の保護範囲に属するとされるべきである。
【００３５】
（付記）
（付記１）
ハンドルと、牽引ロープと、外部スリーブ（５）と、鉗子台（４）と、プッシュプルロッド（３）と、２つの接続部材（２）と、２つのニッパ（１）とを含み、
前記外部スリーブ（５）が鉗子台（４）に接続され、
外部スリーブ（５）と鉗子台（４）の内部に穿設された前記牽引ロープの一端がハンドルに接続され、他端がプッシュプルロッド（３）に接続され、
２つのニッパ（１）の中間部分がヒンジ接続軸を介してヒンジ接続され、かつ当該ヒンジ接続軸が鉗子台（４）に取り付けられ、
前記ニッパ（１）の下部が接続部材（２）の一端にヒンジ接続され、接続部材（２）の他端がプッシュプルロッド（３）にヒンジ接続される医療用鉗子において、
上部にヒンジ接続ヘッダ（３１）が設けられたプッシュプルロッド（３）には、交差して設けられた２つの接続部材（２）にそれぞれヒンジ接続するための２つのヒンジ接続中心を有し、
前記２つのヒンジ接続中心は、ヒンジ接続ヘッダ（３１）の左右両端にそれぞれ設けられ、
当該ヒンジ接続ヘッダ（３１）は、当該２つのヒンジ接続中心を介して２つの接続部材（２）にそれぞれヒンジ接続されることを特徴とする医療用鉗子。
【００３６】
（付記２）
付記１に記載の医療用鉗子において、
プッシュプルロッド（３）の２つのヒンジ接続中心の接続線ｃの長さは、０．２ｍｍ〜３ｍｍであることを特徴とする医療用鉗子。
【００３７】
（付記３）
付記２に記載の医療用鉗子において、
同一のニッパ（１）の２つのヒンジ接続中心の接続線をａ、同一の接続部材（２）の２つのヒンジ接続中心の接続線をｂ、互いにヒンジ接続された１つのニッパ（１）と１つの接続部材（２）でａとｂのなす角度をα、互いにヒンジ接続された１つの接続部材（２）とプッシュプルロッド（３）でｂとｃのなす角度をβとすると、２つのニッパ（１）が咬合した際に、βは、４０°〜８０°であり、αは、９０°〜１８０°であることを特徴とする医療用鉗子。
【００３８】
（付記４）
付記３に記載の医療用鉗子において、
ａの長さは、０．５ｍｍ〜２０ｍｍであり、ｂの長さは、０．５ｍｍ〜２０ｍｍであることを特徴とする医療用鉗子。
【００３９】
（付記５）
付記１に記載の医療用鉗子において、
前記鉗子台（４）の前後両側から２つの支持片（４１）が上へ延伸して形成され、前記支持片（４１）には、ヒンジ接続軸を設けるための第１ヒンジ接続孔（４２）が空けられていることを特徴とする医療用鉗子。
【００４０】
（付記６）
付記５に記載の医療用鉗子において、
前記２つのヒンジ接続中心は、ヒンジ接続ヘッダ（３１）の左右両端にそれぞれ設けられた２つの第２ヒンジ接続孔（３２）であり、
接続部材（２）は、第２ヒンジ接続孔（３２）を介してプッシュプルロッド（３）にヒンジ接続されることを特徴とする医療用鉗子。
【００４１】
（付記７）
付記１に記載の医療用鉗子において、
前記ニッパ（１）は、開口部（１１）と短手ヒンジ接続片（１２）と長手ヒンジ接続片（１３）とを含む鉗子カップであり、
前記短手ヒンジ接続片（１２）は、開口部（１１）の下部の前側から下へ延伸して形成され、
前記長手ヒンジ接続片（１３）は、開口部（１１）の下部の後ろ側から下へ延伸して形成され、
かつ短手ヒンジ接続片（１２）と長手ヒンジ接続片（１３）の間に隙間が設けられていることを特徴とする医療用鉗子。
【００４２】
（付記８）
付記１に記載の医療用鉗子において、
前記接続部材（２）の側面の両端には、それぞれヒンジ接続柱（２１）が設けられ、
接続部材（２）の両端は、円弧コーナーを呈し、かつ接続部材（２）の両端の円弧コーナーの半径が異なり、
２つの接続部材（２）は、プッシュプルロッド（３）の前後両側にそれぞれ設けられていることを特徴とする医療用鉗子。
【００４３】
（付記９）
付記１に記載の医療用鉗子において、
前記接続部材（２）の成型工程は、機械加工、エッチング、プレス加工または粉末冶金であり、
前記プッシュプルロッド（３）の成型工程は、機械加工、プレス加工または粉末冶金であり、
前記鉗子台（４）の成型工程は、機械加工、プレス加工または粉末冶金であることを特徴とする医療用鉗子。
【図１】
0006767071.tif 000002
【図２】
0006767071.tif 000003
【図３】
0006767071.tif 000004
【図４】
0006767071.tif 000005
【図５】
0006767071.tif 000006
【図６】
0006767071.tif 000007
【図７】
0006767071.tif 000008
【図８】
0006767071.tif 000009